(57)【要約】【課題】インターネットに接続された機器を用いてデータのダウンロードをパソコンを起動しダウンロードの制御にパソコンを用いなくてはならない。データダウンロード中はパソコンを常にインターネットに接続し起動している必要があった。【解決手段】本発明はデータのダウンロード機能とダウンロードの制御機能を有する機器を直接操作することによりデータのダウンロードをパソコンで制御せずにデータのダウンロードを行える機能を有する事を特徴とする。【選択図】図２
2008028971.tif 000002
【特許請求の範囲】
【請求項１】
インターネット通信網に接続可能なルーターにおいて、ルーターのプログラム内にデータのダウンロード制御を行うプログラムを有する機能を特徴とするルーター。ルーターはルーター本来の機能を実施するプログラムとデータのダウンロードを制御プログラムにより、単独でデータダウンロードの制御が可能なルーター。
【請求項２】
ルーターのデータダウンロード制御プログラムはデータダウンロードの設定のためのユーザインターフェースを持ち、そのユーザインターフェースによりデータのダウンロードを設定できる事を特徴とする請求項１記載のルーター。
【請求項３】
請求項１のルーターはデータダウンロード時にデータ保存先としてパソコンを介さずにデータを保存するためにルーター内にデータ保存機器のインターフェースであるＵＳＢインターフェースをもつ事を特徴とする請求項１記載ルーター。
【発明の詳細な説明】
【技術分野】
【０００１】本発明は、インターネット網からデータファイルをダウンロードするときにダウンロードを制御する場合にパソコンの制御を用いないでデータダウンロードを可能にする機能を有するルーターに関するものである。
【背景技術】
【０００２】近年、インターネットでは動画、音楽ファイルなど様々なコンテンツが取引されるようになりユーザはデータをダウンロードする機会が爆発的に増えている。
従来のルーターにおいてはデータダウンロードを行う場合、パソコンを用いてパソコンで指定したデータの保存場所にデータをダウンロードするため、常にパソコンをルーターに接続しデータをダウンロードの制御をする必要がある。
このためダウンロード中はＰＣの接続が必要になる。本発明はダウンロードファイルを指定するとパソコンのルーターへの接続なしにダウンロードの続行を可能にしたルーター機能を新しく付加したものである。
【発明が解決しようとする課題】
【０００３】本発明の目的は、主に以下の課題を解決することにある。
【０００４】従来の技術ではインターネットからのデータのダウンロードはルーターを介してインターネットに接続しているパソコンによりデータのダウンロードを指定した場所に保存するようにパソコンで制御する必要があった。また、データの保存場所であるハードディスクはパソコンを介して接続されているため、常にパソコンでデータの保存を制御する必要があった。
【０００５】上記課題を解決するために本発明は、インターネット網に接続可能なルーターにおいてルーターの本来の制御プログラム以外にデータのダウンロード制御プログラムをルーター本体に追加し、ルーターに直接接続されているＵＳＢインターフェースを介してデータ保存場所にルーターの制御によりデータダウンロードとデータの保存をルーターだけで行う機能を付加したことを特徴とする。
【０００６】図１は従来のルーターを用いたデータダウンロードのシステム図である。ユーザは１にあるダウンロード目的のデータのアドレスを指定する。ユーザは２−３を通じてデータのダウンロードの経路を確保する。９パソコンにより８−５−４の経路でデータをダウンロードしてくる。ダウンロードしたデータは９−８−５−６−７の経路でデータ保存装置に保存される。この制御をおこなうのはパソコン９である。
ルーターに接続したパソコンによりデータをインターネット上からダウンロードする時、パソコンでデータのダウンロードファイルを指定し、次にデータの保存場所を指定する。
ダウンロードが開始されるとデータは、ルーター、パソコン、ルーター、データ保存場所の順に流れデータは保存場所にパソコンのＣＰＵ制御を用いて保存される。
【０００７】本発明において新しく機能が加わったルーターでは、パソコンによりインターネット網から指定したファイルをダウンロード対象データとして選択する。次にその指定したデータをルーターのユーザインターフェースである設定画面上に指定し、データをパソコン以外の場所に保管するように指示する。データのダウンロードが始まると、ダウンロード対象ファイルは、ルーターのダウンロードプログラムにより、ルーター、データ保管場所のように流れるため、パソコンを介さずにデータのダウンロードが可能になる。
【０００８】ルーターにはデータのダウンロード制御のためのプログラムが付加されており、ルーターがもつユーザインターフェースにてダウンロードファイルを指定するとパソコンがなくてもデータのダウンロートを持続することが可能である。
【０００９】さらに、ルーターにはデータ保存機器を直接接続するデバイスと、インターフェースを有しており、このインターフェースにデータ保存機器を直接接続することにより、パソコンなしでルーターの機能だけでデータのダウンロードが可能になる。
【００１０】図１はデータダウンロード時のシステム図である。
【００１１】図１において従来のルーター６においてはデータダウンロード時にはデータのダウンロードが終了するまでパソコン９を接続している必要があった。ルーターに接続されたパソコンのＣＰＵによりデータのダウンロードの制御をするため、パソコンなどで大量のダウンロードデータや大きなファイルをダウンロードするときはダウンロード終了までパソコンのＣＰＵによる制御を行う必要がある。この場合、長時間のダウンロードを行っている間はパソコンとルーターのネットワーク接続を切断することはできない。パソコンの電源を落とすことや、ノートパソコン等をルーターの接続範囲外に移動することは困難である。
【００１２】本発明は、パソコンの制御によるデータのダウンロード制御を行わずに、ルーターのＣＰＵとルーターに付加されたダウンロード制御プログラムによりデータのダウンロードをルーター自体で制御することを主要な特徴とする。
【発明の効果】
【００１３】本発明のルーターは、ダウンロード中でもルーターからのパソコンの接続を切断することを可能にし、かつ、ダウンロード中はパソコンなしでダウンロードが継続することをルーター単体で可能にしたため、ユーザのデータダウンロード中の自由度が大幅に向上する利点がある。また、ルーターが外部からインターネット網を介して接続可能な上になっていれば、ルーターのユーザインターフェースに接続し外からでもダウンロードを行うことが可能になる。
【発明を実施するための最良の形態】
【００１４】本発明の第１の発明は、ルーターにデータダウンロードのための新しいプログラムを付加したことである。これにより、このプログラムはユーザインターフェースを持ち、パソコンからルーターのプログラムにアクセスすることができる。ユーザインターフェース上でダウンロードするファイルを指定し、ダウンロード場所をパソコン以外のところに指定すれば、以降データのダウンロードはパソコンが接続されていなくても継続して行うようにできる。データのダウンロードの制御はルーターのＣＰＵと付加したプログラムによってパソコンなしで制御される。【００１５】本発明の第２の発明は、ルーターに直接データ保存装置を接続するインターフェースを付加することにより、データの保存をパソコンなしで実現させたことである。本発明のルーターはダウンロードを制御するプログラムを持ち、かつルーターに直接接続できるデータ保存装置のインターフェースを持つことによりダウンロードされるデータはルーターから直接パソコンなしでデータ保存装置に保存される。このため最初のデータの指定だけをユーザが行えば、ユーザはパソコンを自由に移動でき、ルーターに接続する必要がなくなる。【００１６】本発明の第３の発明はルーターのダウンロード制御プログラムはデータ保存装置のインターフェースにダイレクトに接続でき、パソコンなしでデータダウンロードを継続できることである。【００１７】以下、本発明の実施の形態について、図１〜図４を用いて説明する。
【実施の形態１】
【００１８】以下、本発明の実施の形態１について、各図に基づいて説明する。
【００１９】図２は本発明の実施の形態１におけるルーターブロック図である。以下、図２にしたがって説明する。図２において１０はルーター本体、１１はＷＡＮ側データ受信部、１２はルーターの本体のルーティングプログラム、１３はデータダウンロード制御プログラム、１４はデータ保存装置インターフェースプログラム、１５はルーターのアクセスポイント制御プログラム、１６はデータ保存装置へのデータ経路、１７はデータ保存装置、１８はデータ保存デバイス、１９はパソコンによるルーターの制御経路、２０はパソコンのデータ保存装置となる。
ユーザはダウンロードすべきデータをパソコンにより１９の経路を使いインターネット網で探す。目的のデータがインターネット網に存在した場合、ユーザはパソコンを使用してルーターの１３のプログラムにアクセスする。１３のプログラムにはユーザのデータダウンロードデータ名を登録する場所がある。１３のプログラムにユーザは目的のデータのアドレスを登録し、ダウンロードを開始する。１３のプログラムはルーターの本体のＣＰＵで動作し目的のデータをインターネット上で取得を開始する。ダウンロードが始まるとダウンロードしたデータは順次インターフェースプログラム１４を介して１６の経路をたどり、１７のデータ保存装置内にある１８の記録媒体に保存される。このデータダウンロード保存の経路は本発明以外の技術では２１のパソコンによりデータダウンロードが始まった場合、ダウンロードの制御は２１のＣＰＵを用いて行われる。データのダウンロード先を１７の保存装置に指定した場合でも、データは一端１９の経路を経由し２１のＣＰＵの制御により１９−１６−１８の経路で保存される。従ってダウンロードを制御している２１のパソコンをルーターから切り離すとデータのダウンロードは中断してしまう。
【００２０】次に本発明のルーターを用いたデータのダウンロードの操作方法を説明する。
ユーザは目的のデータをインターネット網で探し、そのアドレスを特定する。２２図３の２３に目的のアドレスを取得できたらルーターのユーザインターフェースにアクセスする。次にユーザインターフェース上で取得したアドレスを入力し、ダウンロードプログラムを開始させる。データのダウンロード先はユーザインターフェース上で任意に選ぶことができる。ダウンロード先をルーターに接続しているデータ保存装置に指定する。
ルーターのプログラムは以降パソコンの制御を介さずにルーターのＣＰＵとルーターのプログラムによりデータのダウンロードを実行する。このためルーターからパソコンを切り離しても、さらに電源を落としてもデータのダウンロードは継続され、データのダウンロートが完了するまで行われる。
【産業上の利用可能性】
【００２１】本発明は、ルーターにおいてデータのダウンロードをパソコンを使用せずに可能にすることによりユーザに対して長時間のデータダウンロードの作業から解放する利点がある。
【図面の簡単な説明】
【００２２】
【図１】ルーターによるデータダウンロードのブロック図
【図２】本発明のルーターのブロック図
【図３】従来のルーターのデータダウンロードチャートフロー図
【図４】本発明のルーターのデータダウンロードのチャートフロー図
【符号の説明】
【００２３】１  データダウンロード先Ｗｅｂサーバー
２  インターネット網
３  光ファイバーまたはＡＤＳＬ網
４  光変換器またはＡＤＳＬルーター
５  ルーター（有線／無線）
６  ＵＳＢケーブル
７  データ保存装置（ＵＳＢ  ＮＡＳストレージ）
８  ＬＡＮ（有線／無線）
９  パソコン
１０  本発明のルーター本体
１１  ＷＡＮ側ＬＡＮ
１２  ダウンロード制御プログラムユーザインターフェース
１３  ダウンロード制御プログラム
１４  データ保存インターフェースプログラム
１５  ルーター制御プログラム
１６  ＵＳＢケーブル
１７  データ保存装置
１８  データ保存デバイス（ハードディスク等）
１９  ＬＡＮ
２０  パソコン側保存デバイス（ハードディスク）
２１  パソコン
２２  パソコンによるダウンロードファイルの指定
２３  ダウンロードの開始
２４  ダウンロードデータの保存
２５  ダウンロードの終了
２６  ダウンロードファイルの指定
２７  ルーターインターフェース上でのダウンロードファイルの指定
２８  ダウンロードの設定
２９  データダウンロードの開始
３０  ダウンロードファイルの保存
３１  ダウンロードの終了
【図１】
2008028971.tif 000003
【図２】
2008028971.tif 000004
【図３】
2008028971.tif 000005
【図４】
2008028971.tif 000006